(57)【要約】【課題】従来の、容器内の芳香を排出できるようにした芳香具には、排出させるための空気を吹き入れる吹き口が存在しなかった。従って、容器内の芳香を排出させるためには手で操作したり車の振動を利用したりする必要があった。  また、従来の、容器内の芳香を排出できるようにした芳香具では、容器内の芳香を排出させるスタイルを問題視することがなかった。  本願発明の芳香具は、芳香を排出させるスタイルを問題視するものである。即ち、吹き口から空気を吹き込んで芳香を排出させるスタイルにすることによって、口にくわえる喫煙具風の生活用具としての利用を図るものである。【解決手段】  上記課題を解決するため、本発明の芳香具は、空気を吹き入れる吹き口と吹き入れた空気を排出させる排出口を設けた容器の中に、芳香材を収納する。  また、上記の芳香具において、空気を吹き入れる吹き口と吹き入れた空気を排出させる排出口を設けた容器を笛として形成する。【選択図】  図２
2006347624.tif 000002
【特許請求の範囲】
【請求項１】
空気を吹き入れる吹き口と吹き入れた空気を排出させる排出口を設けた容器の中に、芳香材を収納したことを特徴とする芳香具。
【請求項２】
空気を吹き入れる吹き口と吹き入れた空気を排出させる排出口を設けた容器が笛である請求項１記載の芳香具。
【発明の詳細な説明】
【技術分野】
【０００１】  本発明は、空気を吹き入れるための吹き口と吹き入れた空気を排出させる排出口を設けた容器の中に芳香材を収納し、容器内の芳香を吹き口より空気を吹き入れ、随意に強制的に排出できるようにした芳香具に関するものである。
【背景技術】
【０００２】  容器内の芳香を随意に排出できるようにした芳香具に関する先行技術として「芳香容器」がある（例えば、特許文献１参照）。
また、容器内の芳香を排出できるようにし、かつ、芳香具の容器を笛として形成した先行技術として「発音する芳香剤容器」がある（例えば、特許文献２参照）。
【特許文献１】  特公昭６０−２６５２６号公報（請求項１〜３、図１〜５）
【特許文献２】  実開昭５８−１８８０３９号公報（請求項２、図５）
【発明の開示】
【発明が解決しようとする課題】
【０００３】  従来の、容器内の芳香を排出できるようにした芳香具には、排出させるための空気を吹き入れる吹き口が存在しなかった。従って、容器内の芳香を排出させるためには手で操作したり車の振動を利用したりする必要があった。
また、従来の、容器内の芳香を排出できるようにした芳香具では、容器内の芳香を排出させるスタイルを問題視することがなかった。
本願発明の芳香具は、芳香を排出させるスタイルを問題視するものである。即ち、吹き口から空気を吹き込んで芳香を排出させるスタイルにすることによって、口にくわえる喫煙具風の生活用具としての利用を図るものである。
【課題を解決するための手段】
【０００４】  上記課題を解決するため、本発明の芳香具は、空気を吹き入れる吹き口と吹き入れた空気を排出させる排出口を設けた容器の中に、芳香材を収納する。【０００５】  また、上記の芳香具において、空気を吹き入れる吹き口と吹き入れた空気を排出させる排出口を設けた容器を笛として形成する。
【発明の効果】
【０００６】  請求項１のように、空気を吹き入れる吹き口と吹き入れた空気を排出させる排出口を設けた容器の中に、芳香材を収納した芳香具は、その形状や大きさに特段の制約を受けるものではないので、携帯に適した大きさや形状に形成でき、バッグやポケットに入れて匂い袋のように使ったり、吊るすための係止具を取り付け、首やバッグに吊るしてアクセサリーのように使ったりすることができる。
また、本願発明の芳香具は、吹き口から空気を吹き込んで芳香材の香りを排出させることができるので、口にくわえて香りを漂わせる喫煙具風の生活用具として利用できる。
上記の場合、容器に設ける排出口の位置を変えることによって、香りを前方に排出させる芳香具や側方に排出させる芳香具など、多様に作ることができるので好都合である。
また、吹き口より空気を吹き入れる容器の中に芳香材を収納してあるので、吹き口より芳香材の香りを吸い込むことができる。従って、本願の芳香具は、香りを口から取り入れて舌や口腔内の粘膜によって香り成分を吸収する方式の、新たなリラクゼーションを行うための器具として好適に利用することができる。
上記の場合、舌や口腔内の粘膜への香り付けが同時に行われるので、口臭防止効果や口中清涼効果が伴うので好都合である。【０００７】  また、請求項２のように、空気を吹き入れる吹き口と吹き入れた空気を排出させる排出口を設けた容器を笛として形成した場合、上記効果を得る笛として利用できると共に、随意に息を吹き込んで笛を鳴らせるので警報器具として兼用することができる。
【発明を実施するための最良の形態】
【０００８】  本願請求項１の芳香具は、空気を吹き入れる吹き口と吹き入れた空気を排出させる排出口を設けた容器の中に、芳香材を収納したことを特徴とするものである。
空気を吹き入れる吹き口と吹き入れた空気を排出させる排出口を設けた容器としては、限定するものではないが、例えば、筒状の容器や筒状の吹き口を設けたボトルなどの容器をあげることができる。吹き口は、口にくわえやすい形状、大きさに形成される。
本願発明に適した芳香材には、芳香を発散させる芳香ビーズ、固形芳香剤、芳香ジェル、芳香シートなどのほか、芳香材を紙袋などにパック詰めした芳香パックや液状芳香材を不織布などに吸着させた芳香パッドなどがある。
また、用途的には、リラクゼーションに用いられる芳香材が適し、トイレなどの消臭に用いられる芳香材は不適である。
なお、本願の芳香材には、ハーブ粉末や芳香を発散する口臭消臭剤、口中清涼剤が含まれる。
芳香材の収納には、必要に応じて接着剤などを用いて容器内に接着する。
また、芳香具を吊り下げるための係止具を必要に応じて取り付ける。【０００９】  本願請求項２の芳香具は、空気を吹き入れる吹き口と吹き入れた空気を排出させる排出口を設けた容器を笛として形成したことを特徴とするものである。
笛の形状や構造は、空気を吹き入れる吹き口と吹き入れた空気を排出させる排出口を有するものであればよく、中に芳香材を収納しやすい構造に形成することが望ましい。
限定するものではないが、例えば、竹を用いて作られる竹笛のような筒状の笛を挙げることができる。
【実施例１】
【００１０】    以下図面に基づいて実施例を説明する。
図１は、本願請求項１よる芳香具Ａを示す斜視図である。
空気を吹き入れる吹き口１と吹き入れた空気を排出させる排出口２を設けた容器３の中に、芳香材４（破線で表示）が収納されている。
実施例での容器３は筒状に形成されており、筒状に形成された容器３の先端部（吹き口と反対側の端部）は閉じられている。
筒状に形成された容器３の先端部付近の側方に排出口２としてのスリットが開けられて  いる。
また、容器３の先端部には芳香材４として、芳香材を紙袋にパック詰めした芳香パック  が収納されている。該芳香パックは接着剤Ｂを用いて容器壁面に接着されている。
容器３の先端部には、吊り下げるための係止具Ｃが取り付けられている。
【実施例２】
【００１１】  図２は、本願請求項２よる芳香具Ａを示す斜視図である。
空気を吹き入れる吹き口１と吹き入れた空気を排出させる排出口２を設けた容器３が笛として形成され、芳香材４（破線で表示）が収納されている。
実施例での笛は筒状に形成されており、筒状に形成された笛の先端部（吹き口と反対側の端部）は閉じられている。吹き口１には、空気の通路を狭めるための中子Ｄ（破線で表示）が嵌め込まれており、中子Ｄの前方に笛の筒部を斜めに切り欠いて作られた排出口２が開けられている。この排出口２は笛の放音部Ｅを兼ねるものである。
従って、吹き口１から吹き込まれた空気は、中子Ｄと放音部Ｅの働きによって音となって排出口２より排出される。
筒状に形成された笛の先端部には、芳香材４としての芳香ジェルが収納されている。
具体的には、芳香材４としての芳香ジェルは、筒状に形成された笛の先端部に収納され接着剤Ｂで容器壁面に接着されている。
また、芳香具Ａをアクセサリーとして吊り下げるための係止具Ｃが、笛の先端部に取り付けられている。
【図面の簡単な説明】
【００１２】
【図１】本願請求項１よる芳香具を示す斜視図である。
【図２】本願請求項２よる芳香具を示す斜視図である。
【符号の説明】
【００１３】      １  吹き口
２  排出口
３  容器
４  芳香材
Ａ  芳香具
Ｂ  接着剤
Ｃ  係止具
Ｄ  中子
Ｅ  放音部
【図１】
2006347624.tif 000003
【図２】
2006347624.tif 000004